(57)【要約】【課題】必要十分なキャパシタンスからなるＸコンを用いても、急激な電源遮断時における交流電源接続端子への電圧発生を抑制するテレビジョン受像機の電源装置を提供する。【解決手段】急激な電源の遮断が発生すると、マイコン４は電源遮断状態検出を行い、消磁制御回路であるスイッチ素子Ｑ１にパルス状の消磁回路制御信号を与える。スイッチ素子Ｑ１は消磁回路制御信号でオンして、リレー１１のインダクタＬ１が動作し、スイッチＳＷ１が短絡する。スイッチＳＷ１の短絡により、ＸコンＣ０と、消磁回路のインダクタＬ２、抵抗器Ｒ２とが直列接続してなる閉回路が形成される。この閉回路により、ＸコンＣ０に充電された電力が消費され、交流電源接続端子に電圧が発生しない。【選択図】図１
2007174194.tif 000002
【特許請求の範囲】
【請求項１】
交流電源に接続する交流電源接続端子と、
該交流電源接続端子側を一次側とする電源トランスと、
該電源トランスと前記交流電源端子との間に接続されたノイズ抑制用コンデンサと、
急な電源の遮断状態を検出する電源遮断状態検出回路と、
ブラウン管の消磁を行う消磁回路と、
該消磁回路を制御する消磁制御回路と、を備えたテレビジョン受像機の電源装置において、
少なくとも操作入力による電源のオン・オフ制御を行うマイコンと、電源オン時に充電され、前記電源の急な遮断時に前記消磁制御回路へ所定電圧を供給する充電回路とを備え、
前記電源遮断状態検出回路が電源の急な遮断を検出すると、
前記マイコンは、前記充電回路より供給される電圧によって前記消磁制御回路を動作させる制御を行い、
前記消磁制御回路は、前記消磁回路と前記ノイズ抑制用コンデンサとで閉回路を構成させる制御を行うことを特徴とするテレビジョン受像機の電源装置。
【請求項２】
交流電源に接続する交流電源接続端子と、
該交流電源接続端子側を一次側とする電源トランスと、
該電源トランスと前記交流電源端子との間に接続されたノイズ抑制用コンデンサと、
急な電源の遮断状態を検出する電源遮断状態検出回路と、
ブラウン管の消磁を行う消磁回路と、
該消磁回路を制御する消磁制御回路と、を備えたテレビジョン受像機の電源装置において、
前記電源遮断状態検出回路が電源の急な遮断を検出すると、前記消磁制御回路は、前記消磁回路と前記ノイズ抑制用コンデンサとで閉回路を構成させる制御を行うことを特徴とするテレビジョン受像機の電源装置。
【請求項３】
少なくとも操作入力による電源のオン・オフ制御を行うマイコンを備え、
該マイコンは、前記電源遮断状態検出回路から得られる遮断検出に基づいて、前記消磁制御回路の動作を制御する請求項２に記載のテレビジョン受像機の電源装置。
【請求項４】
電源オン時に充電され、前記電源の急な遮断時に前記消磁制御回路へ所定電圧を供給する充電回路を備えた請求項２または請求項３に記載のテレビジョン受像機の電源装置。
【発明の詳細な説明】
【技術分野】
【０００１】
この発明は、テレビジョン受像機の電源装置、特に、電源トランスの一次側にノイズ抑制用コンデンサを配置したテレビジョン受像機の電源装置に関するものである。
【背景技術】
【０００２】
従来、ブラウン管を用いたテレビジョン受像機の電源装置として、各種の電源装置が考案されている。そして、このような電源装置において、電源の急激な遮断により発生する各種の問題を解決する方法や構成が考案されている。例えば、特許文献１では、電源の急激な遮断によりブラウン管の中心に光点が収束して、ブラウン管が焼けるのを防止する装置が開示されている。この装置は、電源の急激な遮断を検出すると消磁回路が起動して、ブラウン管の消磁を行う。
【特許文献１】実用新案登録第３０８７１８１号公報
【発明の開示】
【発明が解決しようとする課題】
【０００３】
ところで、ブラウン管を用いたテレビジョン受像機の電源装置では、交流電源から入力される信号に重畳するノイズの対策として、電源トランスの一次側のライン間にコンデンサを挿入している。このコンデンサは、例えば、ライン・アクロス・コンデンサ、アクロス・ザ・ライン・コンデンサ、Ｘコンデンサと呼ばれる。以下の説明では、「Ｘコン」と称する。
【０００４】
ここで、前述のような急激な電源オフ状態が発生すると、このようなＸコンは放電して、交流電源接続端子に大きな電圧が印加されることとなる。
【０００５】
しかしながら、現在の電源に対する規格では、コンセントが抜けて急激に電源が遮断される場合に、交流電源入力端子間に発生する電圧が規制されている。このため、この電圧規制に適応するようにＸコンのキャパシタンスを設定すると、十分なノイズ除去効果を得られない可能性がある。
【０００６】
したがって、本発明の目的は、必要十分なキャパシタンスからなるＸコンを用いても、急激な電源遮断時における交流電源接続端子への電圧発生を抑制するテレビジョン受像機の電源装置を提供することにある。
【課題を解決するための手段】
【０００７】
この発明は、交流電源に接続する交流電源接続端子と、該交流電源接続端子側を一次側とする電源トランスと、該電源トランスと前記交流電源端子との間に接続されたノイズ抑制用コンデンサと、急な電源の遮断状態を検出する電源遮断状態検出回路と、ブラウン管の消磁を行う消磁回路と、該消磁回路を制御する消磁制御回路と、を備えたテレビジョン受像機の電源装置において、電源遮断状態検出回路が電源の急な遮断を検出すると、消磁制御回路は、消磁回路とノイズ抑制用コンデンサとで閉回路を構成させる制御を行うことを特徴としている。
【０００８】
この構成では、交流電源接続端子、具体的にはコンセントが、電源オン状態で抜かれた等により、電源の急激な遮断が発生すると、電源遮断状態検出回路が遮断を検出する。この遮断検出情報は消磁制御回路に与えられ、消磁制御回路は、消磁回路とノイズ抑制用コンデンサとを閉回路で接続する制御を行う。消磁回路とノイズ抑制用コンデンサとが閉回路を構成することで、ノイズ抑制用コンデンサから放電されるエネルギーは消磁回路にて即座に消費される。これにより、交流電源接続端子には電圧印加されない。
【０００９】
また、この発明のテレビジョン受像機の電源装置は、少なくとも操作入力による電源のオン・オフ制御を行うマイコンを備え、該マイコンが、電源遮断状態検出回路から得られる遮断検出に基づいて消磁制御回路の動作を制御することを特徴としている。
【００１０】
この構成では、マイコンは、電源遮断状態検出回路による遮断検出を取得すると、電源トランスの一次側に対しても電源オフの制御を行うとともに、消磁制御回路に対して、消磁回路とノイズ抑制用コンデンサとを閉回路で接続させるように制御する。
【００１１】
また、この発明のテレビジョン受像機の電源装置は、電源オン時に充電され、電源の急な遮断時に消磁制御回路へ所定電圧を供給する充電回路を備えたことを特徴としている。
【００１２】
この構成では、電源が遮断されても、電源オン時に充電した充電回路により、消磁制御回路へ制御用電圧が供給される。
【発明の効果】
【００１３】
この発明によれば、急激な電源遮断時に消磁回路でノイズ抑制用コンデンサに充電されたエネルギーを放電することができるので、ノイズ除去効果の大きいコンデンサをノイズ抑制用コンデンサに使用しても、電源の急激な遮断時に交流電源接続端子へ大きな電圧が発生することを抑制することができる。
【発明を実施するための最良の形態】
【００１４】
本発明の第１の実施形態に係るテレビジョン受像機の電源装置について、図を参照して説明する。
【００１５】
図１は本実施形態の電源装置の主要構成を示す回路図である。
電源トランス１０の一次側にはトランスコイルＴ１１が備えられており、二次側にはトランスコイルＴ２１，Ｔ２２，Ｔ２３が備えられている。
【００１６】
電源トランス１０のトランスコイルＴ１１の両端は、整流回路であるダイオードブリッジ１を介して交流電源ＶＡＣの両端の接続端子にそれぞれ接続している。この交流電源接続端子とダイオードブリッジ１とを接続する２線路間には、ノイズ抑制用コンデンサ（以下、前述にならい「Ｘコン」と称する。）Ｃ０が接続されている。また、トランスコイルＴ１１の一方端と、ダイオードブリッジ１との間には、スイッチ素子Ｑ０と抵抗器Ｒ０との直列回路が接続されており、ダイオードブリッジ１と抵抗器Ｒ０との接続点は、グランドに接続されている。スイッチ回路は、後述するフォトカプラからの出力信号に基づいて、スイッチング制御を行う。
【００１７】
トランスコイルＴ２１の一方端にはダイオードＤ１のアノードが接続され、トランスコイルＴ２１の他方端はグランドに接続されている。ダイオードＤ１のカソードは、リレー１１を構成するインダクタＬ１の一方端に接続されている。このダイオードＤ１のカソードとグランドとの間には、コンデンサＣ１が接続されている。このコンデンサＣ１は、本発明の充電回路に相当し、電源オン時に充電され、電源オフ時に放電して、放電電圧がリレー１１にされる。
【００１８】
また、トランスコイルＴ２１の一方端にはダイオードＤ２のカソードが接続され、このダイオードＤ２のアノードは、マイコン４の−電圧検出端子に接続されている。ダイオードＤ２のアノードとグランドとの間には、コンデンサＣ２が接続されている。このダイオードＤ２およびコンデンサＣ２を備える回路は、電源オン状態で−電圧となり、電源オフ状態で０電圧になるので、この状態変化を利用して、電源遮断状態検出回路として機能する。
【００１９】
トランスコイルＴ２２の一方端には、ダイオードＤ３のアノードが接続され、トランスコイルＴ２２の他方端はグランドが接続されている。ダイオードＤ３のカソードはレギュレータ２を介してマイコン２の駆動電源入力端子に接続されている。ダイオードＤ３のカソードとグランドとの間には、コンデンサＣ３１が接続されており、レギュレータ２とマイコン２との接続点とグランドとの間には、コンデンサＣ３２が接続されている。このトランス回路Ｔ２２、ダイオードＤ３、コンデンサＣ３１，Ｃ３２、レギュレータ２からなる回路がマイコン２の電源供給回路となる。
【００２０】
トランスコイルＴ２３の一方端には、ダイオードＤ４のアノードが接続され、トランスコイルＴ２３の他方端はグランドに接続されている。ダイオードＤ４のカソードはＣＲＴ電源５に接続するとともに、フォトカプラ５の発光ダイオードに接続されている。ダイオードＤ４のカソードとグランドとの間にはコンデンサＣ４が接続されている。フォトカプラ５の発光ダイオードから発生した光は、フォトトランジスタで受光され、受光量に応じた制御信号がスイッチ素子Ｑ０へ与えられる。
【００２１】
リレー１１はインダクタＬ１とスイッチＳＷ１とを備え、インダクタＬ１に所定電圧が供給されるとスイッチＳＷ１がオン状態となる構成を有する。インダクタＬ１の一方端は、前述のように、ダイオードＤ１のカソードに接続されており、インダクタＬ１の他方端は、抵抗器Ｒ１を介して、ＮＰＮ型トランジスタからなるスイッチ素子Ｑ１のコレクタに接続されている。また、インダクタＬ１の両端には、ダイオードＤ１側にカソードを接続し、抵抗器Ｒ１側にアノードを接続するダイオードＤ５が接続されている。
【００２２】
スイッチ素子Ｑ１のベースは抵抗器Ｒ２を介してマイコン４の消磁制御信号出力端子に接続される。抵抗器Ｒ２とマイコン４の消磁制御信号出力端子との接続点は抵抗器Ｒ３を介してグランドに接続されている。スイッチ素子Ｑ１のエミッタはグランドに接続されている。これらリレー１１、ダイオードＤ５、抵抗器Ｒ１，Ｒ２，Ｒ３、スイッチ素子Ｑ１により本発明の「消磁制御回路」が構成される。
【００２３】
リレー１１のスイッチＳＷ１の一方端は、インダクタＬ２の一方端に接続され、インダクタＬ２の他方端は抵抗器Ｒ４の一方端に接続される。このインダクタＬ２と抵抗器Ｒ４とで本発明の「消磁回路」が構成される。抵抗器Ｒ４の他方端はＸコンＣ０の一方端に接続され、スイッチＳＷ１の他方端はＸコンＣ０の他方端に接続されている。
【００２４】
次に、このような構成の電源装置の動作について説明する。
図２は、本発明の電源装置と従来の電源装置とにおける電源オン状態制御信号および消磁回路制御信号とのタイミングチャートを示すものであり、（Ａ）が本発明を示し、（Ｂ）が従来例を示す。
【００２５】
電源オン状態では、ＣＲＴ電源５に供給される電圧がフォトカプラ５を介してスイッチ素子Ｑ０に反映されて、スイッチコイルＴ１１に供給される電圧が調整される。この際、マイコン１からスイッチ素子Ｑ０に対して、電源オン状態を維持するための電源オン状態制御信号がＨｉ状態で与えられる（図２参照）。ここで、消磁回路制御信号は、電源オンの開始時に一時的にＨｉ状態となり、引き続き電源オン状態が継続する場合にはＬｏｗ状態となる。
【００２６】
また、電源オン状態では、トランスコイルＴ２２のダイオードＤ１，Ｄ２の順方向に電流が流れるので、マイコン１の−電圧検出端子は負電圧状態となる。
【００２７】
ここで、コンセントが引き抜かれる等、急激な電源遮断状態が発生すると、電源トランス１に電圧が供給されなくなり、二次側の各トランスコイルＴ２１，２２，２３に電圧が発生しなくなる。トランスコイルＴ２２に電圧が発生しないと、ダイオードＤ１，Ｄ２に電流が流れず、マイコン１の−電圧検出端子の負電圧状態が解消される。マイコン４はこれを検知して、電源トランス一次側のスイッチ素子Ｑ０にＬｏｗ状態の電源オン状態制御信号、すなわち電源オフ状態制御信号を与える。また、マイコン４は、Ｈｉ状態の消磁回路制御信号に対応する所定電圧値で所定パルス幅のパルス信号を出力する。ここで、このパルス信号の電圧値はスイッチ素子Ｑ１の駆動電圧に応じ、パルス幅はＸコンＣ０の放電時間に応じて設定される。この際、マイコン４は、コンデンサＣ３，Ｃ４に充電されていた電力により動作することで、電源遮断後でも動作する。消磁回路制御信号は、抵抗器Ｒ２を介してスイッチ素子Ｑ１のベースに供給される。スイッチ素子Ｑ１は、Ｈｉ状態の消磁回路制御信号が印加されるとオン動作状態となり、コレクタ−エミッタ間が導通する。これにより、リレー１１のインダクタＬ１と抵抗器Ｒ１との直列回路には、コンデンサＣ１に充電されていた電力が供給され、インダクタＬ１が動作し、これに応じてリレー１１のスイッチＳＷ１が短絡状態になる。
【００２８】
スイッチＳＷ１１が短絡すると、消磁回路のインダクタＬ２と抵抗器Ｒ４と、ＸコンＣ０とが直列接続してなる閉回路が形成される。そして、この閉回路が形成されることにより、ＸコンＣ０に充電された電力がインダクタＬ２、抵抗器Ｒ４に供給されて、消費される。これにより、交流電源接続端子には電圧が発生しない。
【００２９】
このように、本実施形態の構成を用いることにより、Ｘコンの容量を低くすることなく、急激な電源遮断時に交流電源接続端子に発生する電圧を抑制することができる。また、従来の装置から備えられている消磁回路を用いることで、新たな機能回路を追加することなく、前述の問題を解決することができる。
【００３０】
次に、第２の実施形態に係るテレビジョン受像機の電源装置について図３を参照して説明する。
【００３１】
図３は、本実施形態の電源装置の主要構成を示す回路図である。本実施形態の電源装置は、ダイオードＤ２のカソードとマイコン４の−電圧検出端子との接続点と、レギュレータ２とマイコン４の駆動電源入力端子との接続点との間に抵抗器Ｒ５が接続されている。また、ダイオードＤ２のカソードとマイコン４の−電圧検出端子との接続点と、抵抗器Ｒ２との間に消磁回路制御信号発生回路６が接続されている。そして、マイコン４の消磁回路制御信号発生端子は省略されている。その他の構成は、図１に示す電源装置と同じである。
【００３２】
このような構成の電源装置では、ダイオードＤ２のカソードとマイコン４の−電圧検出端子との接続点が抵抗器Ｒ５により、マイコン４の電源供給ラインよりもプルアップされており、電源遮断時には、ダイオードＤ２とマイコン４との接続点が所定の正電圧に転移する。消磁回路制御信号発生回路６はこの正電圧信号に基づき、消磁回路制御信号を抵抗器Ｒ２に出力する。この消磁回路制御信号発生回路６は、例えば分圧回路からなる。
【００３３】
このような構成とすることで、マイコン４を介することなく、電源遮断状態検出回路から消磁制御回路に消磁回路制御信号を与えることができる。これにより、さらに放電開始を早くすることができ、交流電源接続端子への電圧発生をより確実に抑制することができる。
【図面の簡単な説明】
【００３４】
【図１】第１の実施形態の電源装置の主要構成を示す回路図である。
【図２】本発明の電源装置と従来の電源装置とにおける電源オン状態制御信号および消磁回路制御信号とのタイミングチャートを示すものである。
【図３】第１の実施形態の電源装置の主要構成を示す回路図である。
【符号の説明】
【００３５】
１−ダイオードブリッジ、２−レギュレータ、４−マイコン、５−フォトカプラ、６−消磁回路制御信号発生回路、１０−電源トランス、１１−リレー
【図１】
2007174194.tif 000003
【図２】
2007174194.tif 000004
【図３】
2007174194.tif 000005